【手続補正書】
【提出日】令和2年1月28日(2020.1.28)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
共有無線周波数スペクトル帯域のワイヤレスリソースにアクセスするための２ステップランダムアクセスプロシージャのためのランダムアクセスリソースの第１のサブセットを識別することと、
前記共有無線周波数スペクトル帯域のワイヤレスリソースにアクセスするための４ステップランダムアクセスプロシージャのためのランダムアクセスリソースの第２のサブセットを識別することと、
基地局の通信チャネルのチャネルメトリックに少なくとも部分的に基づいて、ランダムアクセスリソースの前記第１のサブセットまたはランダムアクセスリソースの前記第２のサブセットのうちの１つを選択することと、
リソースの前記選択されたサブセットを使用してランダムアクセスメッセージを送信することと
を備える、方法。
【請求項２】
前記選択することが、前記通信チャネルのチャネル品質に少なくとも部分的に基づく、請求項１に記載の方法。
【請求項３】
前記選択することが、ランダムアクセスリソースの前記第１のサブセットまたはランダムアクセスリソースの前記第２のサブセットを選択するための１つまたは複数の構成されたしきい値に少なくとも部分的に基づく、
請求項１に記載の方法。
【請求項４】
ランダムアクセスリソースの前記第１のサブセットが、ランダムアクセスリソースのセットのインターレースの第１のサブセットを備え、ランダムアクセスリソースの前記第２のサブセットが、ランダムアクセスリソースの前記セットのインターレースの第２のサブセットを備える、
請求項１に記載の方法。
【請求項５】
ワイヤレス通信のための方法であって、
共有無線周波数スペクトル帯域のワイヤレスリソースにアクセスするためのユーザ機器（ＵＥ）による使用のための２ステップランダムアクセスプロシージャのためのランダムアクセスリソースの第１のサブセットを識別することと、
前記共有無線周波数スペクトル帯域のワイヤレスリソースにアクセスするための前記ＵＥによる使用のための４ステップランダムアクセスプロシージャのためのランダムアクセスリソースの第２のサブセットを識別することと、
ランダムアクセスリソースの前記第１のサブセットまたはランダムアクセスリソースの前記第２のサブセットのうちの１つを選択するための前記ＵＥのための１つまたは複数の選択基準を構成することと、ここにおいて、前記１つまたは複数の選択基準が、前記ＵＥに関連する通信チャネルのチャネル品質しきい値を含み、
ランダムアクセスリソースの前記第１のサブセット、ランダムアクセスリソースの前記第２のサブセット、または前記選択基準のうちの１つまたは複数の指示を前記ＵＥに送信することと
を備える、方法。
【請求項６】
前記１つまたは複数の選択基準が、ランダムアクセスリソースの前記第１のサブセットまたはランダムアクセスリソースの前記第２のサブセットを選択するための１つまたは複数の構成されたしきい値をさらに含む、
請求項５に記載の方法。
【請求項７】
ランダムアクセスリソースの前記第１のサブセットが、ランダムアクセスリソースのセットのインターレースの第１のサブセットを備え、ランダムアクセスリソースの前記第２のサブセットが、ランダムアクセスリソースの前記セットのインターレースの第２のサブセットを備える、
請求項５に記載の方法。
【請求項８】
ワイヤレス通信のための装置であって、
共有無線周波数スペクトル帯域のワイヤレスリソースにアクセスするための２ステップランダムアクセスプロシージャのためのランダムアクセスリソースの第１のサブセットを識別するための手段と、
前記共有無線周波数スペクトル帯域のワイヤレスリソースにアクセスするための４ステップランダムアクセスプロシージャのためのランダムアクセスリソースの第２のサブセットを識別するための手段と、
基地局の通信チャネルのチャネルメトリックに少なくとも部分的に基づいて、ランダムアクセスリソースの前記第１のサブセットまたはランダムアクセスリソースの前記第２のサブセットのうちの１つを選択するための手段と、
リソースの前記選択されたサブセットを使用してランダムアクセスメッセージを送信するための手段と
を備える、装置。
【請求項９】
選択するための前記手段が、前記通信チャネルのチャネル品質に少なくとも部分的に基づいて動作可能である、
請求項８に記載の装置。
【請求項１０】
選択するための前記手段が、ランダムアクセスリソースの前記第１のサブセットまたはランダムアクセスリソースの前記第２のサブセットを選択するための１つまたは複数の構成されたしきい値に少なくとも部分的に基づいて動作可能である、
請求項８に記載の装置。
【請求項１１】
ランダムアクセスリソースの前記第１のサブセットが、ランダムアクセスリソースのセットのインターレースの第１のサブセットを備え、ランダムアクセスリソースの前記第２のサブセットが、ランダムアクセスリソースの前記セットのインターレースの第２のサブセットを備える、
請求項８に記載の装置。
【請求項１２】
ワイヤレス通信のための装置であって、
共有無線周波数スペクトル帯域のワイヤレスリソースにアクセスするためのユーザ機器（ＵＥ）による使用のための２ステップランダムアクセスプロシージャのためのランダムアクセスリソースの第１のサブセットを識別するための手段と、
前記共有無線周波数スペクトル帯域のワイヤレスリソースにアクセスするための前記ＵＥによる使用のための４ステップランダムアクセスプロシージャのためのランダムアクセスリソースの第２のサブセットを識別するための手段と、
ランダムアクセスリソースの前記第１のサブセットまたはランダムアクセスリソースの前記第２のサブセットのうちの１つを選択するための前記ＵＥのための１つまたは複数の選択基準を構成するための手段と、ここにおいて、前記１つまたは複数の選択基準が、前記ＵＥに関連する通信チャネルのチャネル品質しきい値を含み、
ランダムアクセスリソースの前記第１のサブセット、ランダムアクセスリソースの前記第２のサブセット、または前記選択基準のうちの１つまたは複数の指示を前記ＵＥに送信するための手段と
を備える、装置。
【請求項１３】
前記１つまたは複数の選択基準が、ランダムアクセスリソースの前記第１のサブセットまたはランダムアクセスリソースの前記第２のサブセットを選択するための１つまたは複数の構成されたしきい値をさらに含む、
請求項１２に記載の装置。
【請求項１４】
ランダムアクセスリソースの前記第１のサブセットが、ランダムアクセスリソースのセットのインターレースの第１のサブセットを備え、ランダムアクセスリソースの前記第２のサブセットが、ランダムアクセスリソースの前記セットのインターレースの第２のサブセットを備える、
請求項１２に記載の装置。
【請求項１５】
少なくとも１つのプロセッサ上で実行されたときに請求項１〜４および請求項５〜７のいずれか一項に記載の方法を実施するための命令を備える、コンピュータプログラム。
【手続補正２】
【補正対象書類名】明細書
【補正対象項目名】０２３４
【補正方法】変更
【補正の内容】
【０２３４】
[0241]本明細書で使用される「に基づいて」という句は、条件の閉集合への参照として解釈されないものとする。たとえば、「条件Ａに基づいて」と記述された例示的なステップは、本開示の範囲から逸脱することなく条件Ａと条件Ｂの両方に基づき得る。言い換えれば、本明細書で使用される「に基づいて」という句は、「に少なくとも部分的に基づいて」という句と同様にして解釈されるものとする。
以下に、本願の出願当初の特許請求の範囲に記載された発明を付記する。
［Ｃ１］
ワイヤレス通信のための方法であって、
共有無線周波数スペクトル帯域のワイヤレスリソースにアクセスするための２ステップランダムアクセスプロシージャのためのランダムアクセスリソースの第１のサブセットを識別することと、
前記共有無線周波数スペクトル帯域のワイヤレスリソースにアクセスするための４ステップランダムアクセスプロシージャのためのランダムアクセスリソースの第２のサブセットを識別することと、
基地局の通信チャネルのチャネルメトリックに少なくとも部分的に基づいて、ランダムアクセスリソースの前記第１のサブセットまたはランダムアクセスリソースの前記第２のサブセットのうちの１つを選択することと、
リソースの前記選択されたサブセットを使用してランダムアクセスメッセージを送信することと
を備える、方法。
［Ｃ２］
前記選択することが、前記通信チャネルのチャネル品質に少なくとも部分的に基づく、Ｃ１に記載の方法。
［Ｃ３］
前記選択することが、ランダムアクセスリソースの前記第１のサブセットまたはランダムアクセスリソースの前記第２のサブセットを選択するための１つまたは複数の構成されたしきい値に少なくとも部分的に基づく、
Ｃ１に記載の方法。
［Ｃ４］
ランダムアクセスリソースの前記第１のサブセットが、ランダムアクセスリソースのセットのインターレースの第１のサブセットを備え、ランダムアクセスリソースの前記第２のサブセットが、ランダムアクセスリソースの前記セットのインターレースの第２のサブセットを備える、
Ｃ１に記載の方法。
［Ｃ５］
ワイヤレス通信のための方法であって、
共有無線周波数スペクトル帯域のワイヤレスリソースにアクセスするためのユーザ機器（ＵＥ）による使用のための２ステップランダムアクセスプロシージャのためのランダムアクセスリソースの第１のサブセットを識別することと、
前記共有無線周波数スペクトル帯域のワイヤレスリソースにアクセスするための前記ＵＥによる使用のための４ステップランダムアクセスプロシージャのためのランダムアクセスリソースの第２のサブセットを識別することと、
ランダムアクセスリソースの前記第１のサブセットまたはランダムアクセスリソースの前記第２のサブセットのうちの１つを選択するための前記ＵＥのための１つまたは複数の選択基準を構成することと、
ランダムアクセスリソースの前記第１のサブセット、ランダムアクセスリソースの前記第２のサブセット、または前記選択基準のうちの１つまたは複数の指示を前記ＵＥに送信することと
を備える、方法。
［Ｃ６］
前記１つまたは複数の選択基準が、前記ＵＥに関連する通信チャネルのチャネル品質しきい値を含む、
Ｃ５に記載の方法。
［Ｃ７］
前記１つまたは複数の選択基準が、ランダムアクセスリソースの前記第１のサブセットまたはランダムアクセスリソースの前記第２のサブセットを選択するための１つまたは複数の構成されたしきい値を含む、
Ｃ５に記載の方法。
［Ｃ８］
ランダムアクセスリソースの前記第１のサブセットが、ランダムアクセスリソースのセットのインターレースの第１のサブセットを備え、ランダムアクセスリソースの前記第２のサブセットが、ランダムアクセスリソースの前記セットのインターレースの第２のサブセットを備える、
Ｃ５に記載の方法。
［Ｃ９］
ワイヤレス通信のための装置であって、
プロセッサと、
前記プロセッサと電子通信しているメモリと、
前記メモリに記憶された命令とを備え、前記命令が、前記プロセッサによって実行されたとき、前記装置に、
共有無線周波数スペクトル帯域のワイヤレスリソースにアクセスするための２ステップランダムアクセスプロシージャのためのランダムアクセスリソースの第１のサブセットを識別することと、
前記共有無線周波数スペクトル帯域のワイヤレスリソースにアクセスするための４ステップランダムアクセスプロシージャのためのランダムアクセスリソースの第２のサブセットを識別することと、
基地局の通信チャネルのチャネルメトリックに少なくとも部分的に基づいて、ランダムアクセスリソースの前記第１のサブセットまたはランダムアクセスリソースの前記第２のサブセットのうちの１つを選択することと、
リソースの前記選択されたサブセットを使用してランダムアクセスメッセージを送信することと
を行わせるように動作可能である、
装置。
［Ｃ１０］
前記メモリに記憶された前記命令が、前記プロセッサによって実行されたとき、前記装置に、
前記通信チャネルのチャネル品質に少なくとも部分的に基づいて、ランダムアクセスリソースの前記第１のサブセットまたはランダムアクセスリソースの前記第２のサブセットのうちの１つを選択すること
を行わせるように動作可能である、Ｃ９に記載の装置。
［Ｃ１１］
前記メモリに記憶された前記命令が、前記プロセッサによって実行されたとき、前記装置に、
１つまたは複数の構成されたしきい値に少なくとも部分的に基づいて、ランダムアクセスリソースの前記第１のサブセットまたはランダムアクセスリソースの前記第２のサブセットのうちの１つを選択すること
を行わせるように動作可能である、Ｃ９に記載の装置。
［Ｃ１２］
ランダムアクセスリソースの前記第１のサブセットが、ランダムアクセスリソースのセットのインターレースの第１のサブセットを備え、ランダムアクセスリソースの前記第２のサブセットが、ランダムアクセスリソースの前記セットのインターレースの第２のサブセットを備える、
Ｃ９に記載の装置。
［Ｃ１３］
ワイヤレス通信のための装置であって、
プロセッサと、
前記プロセッサと電子通信しているメモリと、
前記メモリに記憶された命令とを備え、前記命令が、前記プロセッサによって実行されたとき、前記装置に、
共有無線周波数スペクトル帯域のワイヤレスリソースにアクセスするためのユーザ機器（ＵＥ）による使用のための２ステップランダムアクセスプロシージャのためのランダムアクセスリソースの第１のサブセットを識別することと、
前記共有無線周波数スペクトル帯域のワイヤレスリソースにアクセスするための前記ＵＥによる使用のための４ステップランダムアクセスプロシージャのためのランダムアクセスリソースの第２のサブセットを識別することと、
ランダムアクセスリソースの前記第１のサブセットまたはランダムアクセスリソースの前記第２のサブセットのうちの１つを選択するための前記ＵＥのための１つまたは複数の選択基準を構成することと、
ランダムアクセスリソースの前記第１のサブセット、ランダムアクセスリソースの前記第２のサブセット、または前記選択基準のうちの１つまたは複数の指示を前記ＵＥに送信することと
を行わせるように動作可能である、
装置。
［Ｃ１４］
前記１つまたは複数の選択基準が、前記ＵＥに関連する通信チャネルのチャネル品質しきい値を含む、
Ｃ１３に記載の装置。
［Ｃ１５］
前記１つまたは複数の選択基準が、ランダムアクセスリソースの前記第１のサブセットまたはランダムアクセスリソースの前記第２のサブセットを選択するための１つまたは複数の構成されたしきい値を含む、
Ｃ１３に記載の装置。
［Ｃ１６］
ランダムアクセスリソースの前記第１のサブセットが、ランダムアクセスリソースのセットのインターレースの第１のサブセットを備え、ランダムアクセスリソースの前記第２のサブセットが、ランダムアクセスリソースの前記セットのインターレースの第２のサブセットを備える、
Ｃ１３に記載の装置。
［Ｃ１７］
ワイヤレス通信のためのコードを記憶する非一時的コンピュータ可読媒体であって、前記コードが、
共有無線周波数スペクトル帯域のワイヤレスリソースにアクセスするための２ステップランダムアクセスプロシージャのためのランダムアクセスリソースの第１のサブセットを識別することと、
前記共有無線周波数スペクトル帯域のワイヤレスリソースにアクセスするための４ステップランダムアクセスプロシージャのためのランダムアクセスリソースの第２のサブセットを識別することと、
基地局の通信チャネルのチャネルメトリックに少なくとも部分的に基づいて、ランダムアクセスリソースの前記第１のサブセットまたはランダムアクセスリソースの前記第２のサブセットのうちの１つを選択することと、
リソースの前記選択されたサブセットを使用してランダムアクセスメッセージを送信することと
を行うために実行可能な命令を備える、非一時的コンピュータ可読媒体。
［Ｃ１８］
前記命令が、
前記通信チャネルのチャネル品質に少なくとも部分的に基づいて、ランダムアクセスリソースの前記第１のサブセットまたはランダムアクセスリソースの前記第２のサブセットのうちの１つを選択すること
を行うために実行可能である、Ｃ１７に記載の非一時的コンピュータ可読媒体。
［Ｃ１９］
前記命令が、
ランダムアクセスリソースの前記第１のサブセットまたはランダムアクセスリソースの前記第２のサブセットを選択するための１つまたは複数の構成されたしきい値に少なくとも部分的に基づいて、ランダムアクセスリソースの前記第１のサブセットまたはランダムアクセスリソースの前記第２のサブセットのうちの１つを選択すること
を行うために実行可能である、Ｃ１７に記載の非一時的コンピュータ可読媒体。
［Ｃ２０］
ランダムアクセスリソースの前記第１のサブセットが、ランダムアクセスリソースのセットのインターレースの第１のサブセットを備え、ランダムアクセスリソースの前記第２のサブセットが、ランダムアクセスリソースの前記セットのインターレースの第２のサブセットを備える、
Ｃ１７に記載の非一時的コンピュータ可読媒体。
［Ｃ２１］
ワイヤレス通信のためのコードを記憶する非一時的コンピュータ可読媒体であって、前記コードが、
共有無線周波数スペクトル帯域のワイヤレスリソースにアクセスするためのユーザ機器（ＵＥ）による使用のための２ステップランダムアクセスプロシージャのためのランダムアクセスリソースの第１のサブセットを識別することと、
前記共有無線周波数スペクトル帯域のワイヤレスリソースにアクセスするための前記ＵＥによる使用のための４ステップランダムアクセスプロシージャのためのランダムアクセスリソースの第２のサブセットを識別することと、
ランダムアクセスリソースの前記第１のサブセットまたはランダムアクセスリソースの前記第２のサブセットのうちの１つを選択するための前記ＵＥのための１つまたは複数の選択基準を構成することと、
ランダムアクセスリソースの前記第１のサブセット、ランダムアクセスリソースの前記第２のサブセット、または前記選択基準のうちの１つまたは複数の指示を前記ＵＥに送信することと
を行うために実行可能な命令を備える、非一時的コンピュータ可読媒体。
［Ｃ２２］
前記１つまたは複数の選択基準が、前記ＵＥに関連する通信チャネルのチャネル品質しきい値を含む、
Ｃ２１に記載の非一時的コンピュータ可読媒体。
［Ｃ２３］
前記１つまたは複数の選択基準が、ランダムアクセスリソースの前記第１のサブセットまたはランダムアクセスリソースの前記第２のサブセットを選択するための１つまたは複数の構成されたしきい値を含む、
Ｃ２１に記載の非一時的コンピュータ可読媒体。
［Ｃ２４］
ランダムアクセスリソースの前記第１のサブセットが、ランダムアクセスリソースのセットのインターレースの第１のサブセットを備え、ランダムアクセスリソースの前記第２のサブセットが、ランダムアクセスリソースの前記セットのインターレースの第２のサブセットを備える、
Ｃ２１に記載の非一時的コンピュータ可読媒体。
［Ｃ２５］
ワイヤレス通信のための装置であって、
共有無線周波数スペクトル帯域のワイヤレスリソースにアクセスするための２ステップランダムアクセスプロシージャのためのランダムアクセスリソースの第１のサブセットを識別するための手段と、
前記共有無線周波数スペクトル帯域のワイヤレスリソースにアクセスするための４ステップランダムアクセスプロシージャのためのランダムアクセスリソースの第２のサブセットを識別するための手段と、
基地局の通信チャネルのチャネルメトリックに少なくとも部分的に基づいて、ランダムアクセスリソースの前記第１のサブセットまたはランダムアクセスリソースの前記第２のサブセットのうちの１つを選択するための手段と、
リソースの前記選択されたサブセットを使用してランダムアクセスメッセージを送信するための手段と
を備える、装置。
［Ｃ２６］
選択するための前記手段が、前記通信チャネルのチャネル品質に少なくとも部分的に基づいて動作可能である、
Ｃ２５に記載の装置。
［Ｃ２７］
選択するための前記手段が、ランダムアクセスリソースの前記第１のサブセットまたはランダムアクセスリソースの前記第２のサブセットを選択するための１つまたは複数の構成されたしきい値に少なくとも部分的に基づいて動作可能である、
Ｃ２５に記載の装置。
［Ｃ２８］
ワイヤレス通信のための装置であって、
共有無線周波数スペクトル帯域のワイヤレスリソースにアクセスするためのユーザ機器（ＵＥ）による使用のための２ステップランダムアクセスプロシージャのためのランダムアクセスリソースの第１のサブセットを識別するための手段と、
前記共有無線周波数スペクトル帯域のワイヤレスリソースにアクセスするための前記ＵＥによる使用のための４ステップランダムアクセスプロシージャのためのランダムアクセスリソースの第２のサブセットを識別するための手段と、
ランダムアクセスリソースの前記第１のサブセットまたはランダムアクセスリソースの前記第２のサブセットのうちの１つを選択するための前記ＵＥのための１つまたは複数の選択基準を構成するための手段と、
ランダムアクセスリソースの前記第１のサブセット、ランダムアクセスリソースの前記第２のサブセット、または前記選択基準のうちの１つまたは複数の指示を前記ＵＥに送信するための手段と
を備える、装置。
［Ｃ２９］
前記１つまたは複数の選択基準が、前記ＵＥに関連する通信チャネルのチャネル品質しきい値を含む、
Ｃ２８に記載の装置。
［Ｃ３０］
前記１つまたは複数の選択基準が、ランダムアクセスリソースの前記第１のサブセットまたはランダムアクセスリソースの前記第２のサブセットを選択するための１つまたは複数の構成されたしきい値を含む、
Ｃ２８に記載の装置。